(57)【要約】【課題】転動部に流入した遊技球を導入及び導出する回転部材を用い、回転部材に導入した遊技球が回転部材から導出される際に、始動入賞率の異なる複数の経路に遊技球を振り分け、回転部材への遊技球の導入から導出まで遊技者の興趣を向上させる。【解決手段】転動部２２に、左右方向に回転軸が設定され、内部に遊技球１１を流入可能な空間が形成される回転部材３０を設ける。回転部材３０は、転動部２２を転動する遊技球１１を内部に導入する球導入口３１を備える。回転部材３０は、内部の遊技球１１を導出可能で、導出された遊技球１１が始動入賞口へ入賞する入賞率を相互に異ならせるように形成された第１の球導出口３２及び第２の球導出口３３を備える。回転部材３０の回転により、回転部材３０内部に導入された遊技球１１を第１の球導出口３２及び第２の球導出口３３のうちの何れかに振り分けて導出させる。【選択図】図３
2008055242.tif 000002
【特許請求の範囲】
【請求項１】
遊技領域を形成する遊技盤に設けられ複数の図柄による変動表示ゲームを表示可能な表示部を有する変動表示装置と、該変動表示装置の下方の遊技領域に配設され遊技球の入賞に基づき前記変動表示ゲームの始動条件を付与可能な始動入賞口と、を備え、前記変動表示装置に、前記表示部の前面側において遊技球が転動可能であるとともに、該転動した遊技球が前記始動入賞口の上部に流下可能な転動部を形成するようにした遊技機において、
前記転動部に、左右方向に回転軸が設定され、内部に遊技球を流入可能な空間が形成される回転部材を設けるとともに、該回転部材を挟んで、後方側に後方転動部と、前方側に前方転動部とを設け、
前記回転部材は、
前記転動部を転動する遊技球を内部に導入する球導入口と、
内部の遊技球を導出可能であるとともに、導出された遊技球が前記始動入賞口へ入賞する入賞率を相互に異ならせるように形成された複数の球導出口と、
を備え、
前記複数の球導出口は、前記回転部材の中央部に形成される第１の球導出口と、該第１の球導出口よりも端部側に形成され該第１の球導出口から導出された遊技球よりも導出される遊技球の前記始動入賞口への入賞率が低くなるように設定された第２の球導出口と、から構成され、
前記回転部材の回転により、前記後方転動部を転動する遊技球を前記球導入口から前記回転部材内部に導入して、当該回転部材内部に導入された遊技球を前記第１および第２の球導出口のうちの何れかの球導出口に振り分けて当該球導出口から前記前方転動部に導出させるようにしたことを特徴とする遊技機。
【請求項２】
前記前方転動部は、前記第１の球導出口から導出する遊技球を流下誘導する第１の誘導溝と、前記第２の球導出口から導出する遊技球を流下誘導する第２の誘導溝と、を有する誘導転動部を備え、
前記第１の誘導溝の直下方に位置する部位に前記始動入賞口が配設されていることを特徴とする請求項１に記載の遊技機。
【請求項３】
前記前方転動部は、上下段に区画されて形成され、
前記前方転動部の上段は、左右方向中央に向かって傾斜するとともに前方側に傾斜して、前記回転部材の前方側において遊技球が転動可能な傾斜転動部を構成する一方、
前記前方転動部の下段は、前記誘導転動部を構成することを特徴とする請求項２に記載の遊技機。
【請求項４】
前記傾斜転動部の後端部側に、遊技球が前記回転部材の外周部に接触可能に該回転部材に向かって傾斜する後方傾斜部を形成し、
前記後方傾斜部において遊技球が前記回転部材の外周部へ接触することで、当該遊技球の流下態様が変化するように構成したことを特徴とする請求項３に記載の遊技機。
【請求項５】
前記回転部材の外周部における前記第２の球導出口の近傍には窪み部が形成され、
前記回転部材の窪み部により前記後方傾斜部の遊技球を該後方傾斜部の左右方向中央部に誘導可能としたことを特徴とする請求項４に記載の遊技機。
【請求項６】
前記変動表示装置は、当該変動表示装置の周囲の遊技領域を流下する遊技球が流入する流入口と、該流入口から流入した遊技球を、遊技球流下路を介して前記後方転動部に流出させる流出口と、を備えたワープ装置を備え、
前記球導入口を当該回転部材における左右方向の何れか一方の端部側に形成するとともに、前記流出口を前記球導入口とは反対の回転部材の端部側に配設するように構成し、
前記後方転動部は、前記流出口から流出した遊技球を前記球導入口まで誘導するように該球導入口側に傾斜していることを特徴とする請求項１に記載の遊技機。
【発明の詳細な説明】
【技術分野】
【０００１】
本発明は、変動表示ゲームを表示可能な表示部を有する変動表示装置と、該変動表示装置の下方に配設されて変動表示ゲームの始動に係わる始動入賞口とを備え、前記変動表示装置に、遊技球が転動可能であるとともに、該転動した遊技球が前記始動入賞口の上に流下可能な転動部を形成するようにした遊技機に関する。
【背景技術】
【０００２】
従来より、複数の図柄による変動表示ゲームを表示する表示部を有する変動表示装置を備え、該変動表示ゲームの結果に基づいて遊技者にとって有利な特別遊技状態を発生するようにした遊技機として、例えば、パチンコ遊技機が知られている。
近年では、上記変動表示装置に、液晶表示器を備えたものが多くなっていて、多彩な表示を行えるようになっている。
上記変動表示装置は、遊技盤の表面に対応して表示用開口部が形成され、該表示用開口部から後方に凹んだ凹室形状となっていて、その奥側に表示部を配置するように構成されている。そして、上記凹室部分の下面には、遊技球が転動可能な転動部（ステージ）が形成されていて、遊技球が凹室内に入った場合には、該転動部で転動した後、転動部の前方端から再度遊技領域に流下して、その下方に配設された始動入賞口の上部に落下するように構成されている。従って、上記転動部での遊技球の転動態様が、その後に始動入賞口に入賞するか否かに大きく影響することとなり、転動部での遊技球の転動態様は遊技者の興味を引くこととなっている。
【０００３】
また、上記のように変動表示装置に液晶表示器等を備えた場合には、変動表示装置が大型化することとなることから、変動表示装置の上部の遊技領域へ発射された遊技球を該変動表示装置の下部に配設された始動入賞口の周辺に効率よく集められるように、変動表示装置の上部や側部の遊技領域を流下する遊技球を受け入れるとともに転動部に導入するワープ装置を備えた変動表示装置が多くなってきている。
また、上記転動部での転動態様をより多彩化するために、該転動部に電気的駆動源により動作する可動部材を備えるようにしたものも考えられている。更に、上記可動部材として、モータの動作により回転するスクリュー状の球誘導部材を備え、該球誘導部材の回転動作により遊技球を転動部の中央に誘導することで、始動入賞口への入賞率を高めるようにした遊技機も考えられている（例えば、特許文献１参照。）。
【特許文献１】特開平４−３４１２８９号公報（第８頁  図１３）
【発明の開示】
【発明が解決しようとする課題】
【０００４】
しかしながら、上記従来の遊技機の場合、球誘導部材を備えたことにより、遊技球の転動態様が、球誘導部材で誘導された場合の態様と、誘導されない場合の態様とで大別されてしまい、かえって転動部での転動態様の多彩化を低下させてしまうといった課題がある。
また、転動部に遊技球が至った場合に、球誘導部材で誘導されさえすれば始動入賞率が高まることとなるので、遊技者は遊技球が球誘導部材に誘導されるか否か以外に興味を示さなくなり、興趣を向上させるには不十分であった。
すなわち、遊技球が球誘導部材に接触した際に、遊技球が球誘導部材に誘導されるか否かがほぼ決まり、誘導されるか否かで、始動入賞率がほぼ決まってしまうので、遊技者は、球誘導部材に遊技球が誘導開始された時点で、球誘導部材により誘導されている遊技球の動きに対する興味は低減してしまい、球誘導部材により誘導されて移動する遊技球をあまり見ない状態となる可能性が高い。従って、他の遊技機では見ることができない、球誘導部材により誘導されて移動する遊技球の動きを遊技者に見せることで、遊技者の興趣を高めようとしたことが、十分に実現していない。
【０００５】
本発明の課題は、転動部に流入した遊技球を導入及び導出する回転部材を用い、回転部材に導入した遊技球が回転部材から導出される際に、その導出態様によって始動入賞率の異なる複数の経路に遊技球を振り分け、回転部材への遊技球の導入から導出まで興趣を向上させることができる遊技機を提供することである。
【課題を解決するための手段】
【０００６】
以上の課題を解決するため、請求項１に記載の発明は、遊技領域を形成する遊技盤に設けられ複数の図柄による変動表示ゲームを表示可能な表示部を有する変動表示装置と、該変動表示装置の下方の遊技領域に配設され遊技球の入賞に基づき前記変動表示ゲームの始動条件を付与可能な始動入賞口と、を備え、前記変動表示装置に、前記表示部の前面側において遊技球が転動可能であるとともに、該転動した遊技球が前記始動入賞口の上部に流下可能な転動部を形成するようにした遊技機において、
前記転動部に、左右方向に回転軸が設定され、内部に遊技球を流入可能な空間が形成される回転部材を設けるとともに、該回転部材を挟んで、後方側に後方転動部と、前方側に前方転動部とを設け、
前記回転部材は、
前記転動部を転動する遊技球を内部に導入する球導入口と、
内部の遊技球を導出可能であるとともに、導出された遊技球が前記始動入賞口へ入賞する入賞率を相互に異ならせるように形成された複数の球導出口と、
を備え、
前記複数の球導出口は、前記回転部材の中央部に形成される第１の球導出口と、該第１の球導出口よりも端部側に形成され該第１の球導出口から導出された遊技球よりも導出される遊技球の前記始動入賞口への入賞率が低くなるように設定された第２の球導出口と、から構成され、
前記回転部材の回転により、前記後方転動部を転動する遊技球を前記球導入口から前記回転部材内部に導入して、当該回転部材内部に導入された遊技球を前記第１および第２の球導出口のうちの何れかの球導出口に振り分けて当該球導出口から前記前方転動部に導出させるようにしたことを特徴としている。
ここで、「遊技機」は、例えば、変動表示装置を備えるパチンコ遊技機であるが、変動表示装置を備える遊技機であれば、パチンコ遊技機以外の遊技機であっても良い。
また、変動表示ゲームとは、複数の識別図柄（識別情報）を変動表示装置の表示装置本体に備えられた表示部の複数の領域（例えば、左、中、右の三つの領域）で変動表示し、変動表示ゲームの開始から所定時間経過した時点で、各表示領域の変動表示を所定の順に停止させて各々所定の図柄を停止表示することで表示結果を導出するものが挙げられる。
【０００７】
また、「変動表示装置」としては、液晶表示装置、ＣＲＴ（陰極線管）表示装置、ＥＬ表示装置、発光素子を配列した表示装置などの各種ディスプレイや、回転ドラムを使用したメカ式の表示装置などでもよく、表示部で識別情報を変動表示可能となっていれば良い。また、変動表示装置は、表示部の周囲に配置される各種部材を含むものであり、転動部を含むとともに、所謂ワープ装置等を含むものとしても良い。
また、表示部とは、表示装置本体において実際に変動表示ゲームが表示される部分であり、ディスプレイの表示画面や、メカ式の表示装置において、識別情報が遊技者に対して露出する部分である。
【０００８】
また、転動部とは、例えば、変動表示装置が遊技盤の前面に対して後方に凹んだ状態の凹室を有し、凹室の奥側に表示部があるような場合に、凹室内の表示部の前側で、かつ、凹室の下側の内面上に形成される所謂ステージである。そして、凹室内に進入した遊技球は、ステージとなる転動部上を転がった後に凹室から出て遊技領域の変動表示装置より下方に流下する。
【０００９】
請求項１に記載の発明によれば、回転部材の内部に遊技球を導入する構成であり、従来にない斬新な遊技球の流下態様（転動態様）を形成でき、興趣を向上させることができる。すなわち、回転部材内において、遊技球は、回転部材内へ流入した際の流下勢と、回転部材の回転とに基づいて、回転部材内を転動してから回転部材外に導出されることになり、回転部材内に流入する遊技球毎に多彩な転動態様を取ることになり、見ている遊技者の興趣を向上することができる。
また、回転部材内部に遊技球が導入された場合でも、遊技球が導出する球導出口に応じて始動入賞率が変化するので、遊技者の興味が回転部材に遊技球が導入するか否かだけに集中せず、回転部材への遊技球の導入態様の他、導出態様にも遊技者の興味を引き付けることができ、興趣を向上させることができる。
また、第１の球導出口が回転部材の中央部にあり、第２の球導出口が第１の球導出口より端部側にあるので、それぞれ左右位置が異なる第１の球導出口及び第２の球導出口の各々から導出された遊技球の始動入賞率を確実かつ効率よく異ならせることができる。
また、後方転動部と前方転動部との間に回転部材が配置され、後方転動部から回転部材に流入した遊技球が、回転部材から前方転動部に流出し、前方転動部に流入した遊技球が、変動表示装置部分からそれより下方の遊技領域に流下することになる。
従って、回転部材を転動部に効率よく配設することが可能となるとともに、回転部材への遊技球の導入及び導出を後から前に向かって確実に行うことができる。
【００１０】
請求項２に記載の発明は、請求項１に記載の遊技機において、
前記前方転動部は、前記第１の球導出口から導出する遊技球を流下誘導する第１の誘導溝と、前記第２の球導出口から導出する遊技球を流下誘導する第２の誘導溝と、を有する誘導転動部を備え、
前記第１の誘導溝の直下方に位置する部位に前記始動入賞口が配設されていることを特徴としている。
【００１１】
請求項２に記載の発明によれば、第１の球導出口から導出する遊技球を流下誘導する第１の誘導溝と、第２の球導出口から導出する遊技球を流下誘導する第２の誘導溝とにより、第１の球導出口および第２の球導出口の各々から導出された遊技球の始動入賞率を確実かつ効率よく異ならせることができるとともに、第１の誘導溝の直下方に位置する部位に前記始動入賞口が配設されているので、第１の球導出口から導出された遊技球の始動入賞率を確実に高めることができる。
【００１２】
請求項３に記載の発明は、請求項２に記載の遊技機において、
前記前方転動部は、上下段に区画されて形成され、
前記前方転動部の上段は、左右方向中央に向かって傾斜するとともに前方側に傾斜して、前記回転部材の前方側において遊技球が転動可能な傾斜転動部を構成する一方、
前記前方転動部の下段は、前記誘導転動部を構成することを特徴としている。
【００１３】
請求項３に記載の発明によれば、前方転動部に上段の傾斜転動部と、下段の誘導転動部とを設けることで、転動部での遊技球の転動態様をより多彩化でき興趣を向上させることができる。
前方転動部の下段に誘導転動部を備えたので、より始動入賞口の近い位置で遊技球を誘導することが可能となる。これにより、誘導転動部の第１の誘導溝により遊技球をより高い確率で始動入賞口に入賞させることが可能となり、第１の球導出口から導出されるか、第２の球導出口から導出されるかにより、始動入賞率をより明確に異ならせることができる。
また、傾斜転動部と誘導転動部とが上下に別れているので、誘導転動部での遊技球の誘導を邪魔することなく、傾斜転動部で多彩に遊技球が転動可能である。
【００１４】
請求項４に記載の発明は、請求項３に記載の遊技機において、
前記傾斜転動部の後端部側に、遊技球が前記回転部材の外周部に接触可能に該回転部材に向かって傾斜する後方傾斜部を形成し、
前記後方傾斜部において遊技球が前記回転部材の外周部へ接触することで、当該遊技球の流下態様が変化するように構成したことを特徴としている。
【００１５】
請求項４に記載の発明によれば、傾斜転動部の後端部側に、回転部材に向かって傾斜する後方傾斜部を形成し、かつ、回転部材の外周部に遊技球が接触可能となっているので、傾斜転動部の後端部側の遊技球は、後方傾斜部により回転する回転部材に誘導される。
そして、後方傾斜部を転動する遊技球が前記回転部材の外周部へ接触することで、当該遊技球の流下態様が変化するように構成したことにより、回転部材が内部における遊技球の誘導機能（振り分け機能）以外に、外部における遊技球の流下態様を変化させる機能を持つこととなり、複数の機能を効率よく発揮できる。
回転部材の外周部に遊技球が接触することで流下態様（転動態様）が変化するので、より多彩な遊技球の流下態様を生じさせることができ興趣がより向上する。
【００１６】
請求項５に記載の発明は、請求項４に記載の遊技機において、
前記回転部材の外周部における前記第２の球導出口の近傍には窪み部が形成され、
前記回転部材の窪み部により前記後方傾斜部の遊技球を該後方傾斜部の左右方向中央部に誘導可能としたことを特徴としている。
【００１７】
請求項５に記載の発明によれば、傾斜転動部（後方傾斜部）の左右方向の中央部の下方に始動入賞口があるものとすれば、回転部材の窪み部により前記後方傾斜部の遊技球を該後方傾斜部の左右方向中央部に誘導可能したことにより、回転部材の外周部でも始動入賞口に遊技球を流下誘導できるので、遊技者の始動入賞への期待感を向上させることができる。
また、回転部材の回転角度が、第２の球導出口から遊技球が導出可能な位置（第１の球導出口から遊技球の導出が不可能な位置）となった場合に、回転部材の内部の遊技球の導出に関しては始動入賞口への入賞の期待感が低くなるが、この際には、第２の球導出口の近傍の外周部の窪み部が後方傾斜部上の遊技球を中央部に誘導した後に、回転部材の窪み部の回転方向の後側の部分が遊技球を傾斜転動部の中央部から前方に押し出す位置もしくはその近傍とすることが可能であり、回転部材の外周部においては、遊技球を始動入賞口へ流下誘導可能となるので、回転部材の回転位置がどの位置でも遊技者の始動入賞への期待感を高めることができる。
【００１８】
請求項６に記載の発明は、請求項１に記載の遊技機において、
前記変動表示装置は、当該変動表示装置の周囲の遊技領域を流下する遊技球が流入する流入口と、該流入口から流入した遊技球を、遊技球流下路を介して前記後方転動部に流出させる流出口と、を備えたワープ装置を備え、
前記球導入口を当該回転部材における左右方向の何れか一方の端部側に形成するとともに、前記流出口を前記球導入口とは反対の回転部材の端部側に配設するように構成し、
前記後方転動部は、前記流出口から流出した遊技球を前記球導入口まで誘導するように該球導入口側に傾斜していることを特徴としている。
【００１９】
請求項６に記載の発明によれば、ワープ装置により多数の遊技球を転動部に集めることができるとともに、転動部に流入した遊技球を球導入口まで確実かく効率よく誘導することができる。また、該流出口を前記球導入口とは反対の回転部材の端部側に配設するように構成したので、流出口から出た遊技球が球導入口まで移動する経路を長くすることができる。そして、その間の遊技球の動きを遊技者に見せることができるので、期待感を高めることができるとともに興趣が向上する。
【発明の効果】
【００２０】
本発明に係る遊技機によれば、回転部材の内部に遊技球を導入する構成であり、従来にない斬新な遊技球の流下態様（転動態様）を形成でき、興趣を向上させることができる。また、回転部材内部に遊技球が導入された場合でも、遊技球が導出する球導出口に応じて始動入賞率が変化するので、遊技者の興味が回転部材に遊技球が導入するか否かだけに集中せず、回転部材への遊技球の導入態様の他、導出態様にも遊技者の興味を引き付けることができ、興趣を向上させることができる。また、第１の球導出口が回転部材の中央部にあり、第２の球導出口が第１の球導出口より端部側にあるので、それぞれ左右位置が異なる第１の球導出口及び第２の球導出口の各々から導出された遊技球の始動入賞率を確実かつ効率よく異ならせることができる。また、後方転動部と前方転動部との間に回転部材が配置され、後方転動部から回転部材に流入した遊技球が、回転部材から前方転動部に流出し、前方転動部に流入した遊技球が、変動表示装置部分からそれより下方の遊技領域に流下することになる。従って、回転部材を転動部に効率よく配設することが可能となるとともに、回転部材への遊技球の導入及び導出を後から前に向かって確実に行うことができる。
【発明を実施するための最良の形態】
【００２１】
以下、この発明に係る第１実施形態について、図面を参照しながら説明する。
図１は、本発明に係る遊技機の一形態として例示するパチンコ遊技機１００の遊技盤１を示す正面図である。
この遊技盤１のガイドレール２で囲まれた遊技領域１ａでは、図示しない発射装置によって発射された遊技球１１が流下するようになっている。また、前記遊技領域１ａには、遊技球１１の通過により普通変動表示ゲームの始動条件を付与する普図始動ゲート６，６、普通変動表示ゲームを表示する普通図柄（普図）表示装置（図示略）、普通図柄変動表示装置での普通変動表示ゲームの結果如何によって開閉部材９ａ，９ａを開（遊技者にとって有利な状態）閉（遊技者にとって不利な状態）させる始動入賞口９１（特図始動入賞口）を備えた普通変動入賞装置９、始動入賞口９１を備える普通変動入賞装置９への遊技球１１の入賞に基づき変動表示ゲーム（ここでは特別変動表示ゲーム）を表示する変動表示装置４、変動表示装置４での特別変動表示ゲームの結果如何によって大入賞口５ｂを閉じた状態（遊技者にとって不利な状態）から開放状態（遊技者にとって有利な状態）に変換するサイクル遊技を行う特別変動入賞装置５、一般入賞口８，…、サイドランプ１２，１２、風車と呼ばれる打球方向変換部材１４、多数の障害釘（図示略）などが配設されている。また、遊技領域１ａの最下端部中央にはアウト球を回収するためのアウト穴１３が設けられている。
【００２２】
このうち、変動表示装置４は、識別情報としての特別図柄（特図）の変動表示ゲームの表示等を行う表示装置本体４ａ（例えば、液晶表示装置からなる）と、この表示装置本体４ａの前面側に配設される前面構成部材２０から構成されている。なお、表示装置本体４ａには、液晶表示装置等のディスプレイと、ディスプレイの裏面に配置され、ディスプレイの表示の制御等を含む演出の制御を行う後述の演出制御装置となる演出制御基板（図示略）とが含まれる。
【００２３】
また、変動表示装置４の前面構成部材２０には、遊技盤１の前面より後方に凹んだ状態の凹室２１が形成され、凹室２１の奥に、凹室２１の前面を向く内面を構成するように表示装置本体４ａの表示部４ｂ（表示画面）が配置されている。そして、前面構成部材２０の凹室２１の下側の内面を構成する部分が、表示部４ｂの前面側において遊技球１１が転動可能であるとともに、該転動した遊技球１１が前記始動入賞口９１を備える普通変動入賞装置９の上に流下可能な転動部２２が形成されている。
また、変動表示装置４の前面構成部材２０には、変動表示装置４の周囲（ここでは変動表示装置４の上側の周囲）の遊技領域１ａを流下する遊技球１１が流入する流入口２３１と、該流入口２３１から流入した遊技球１１を、遊技球流下路２３２を介して前記転動部２２（更に連絡流路６０を介して後方転動部４０）に流出させる流出口２３３とを備えたワープ装置２３を備えている。
【００２４】
表示装置本体４ａは、表示状態が変化可能な表示部４ｂ（表示画面）を備え、この表示部４ｂにおいて複数種類の識別情報（例えば、キャラクタ、数字、記号などからなる図柄等）を変動表示させることにより特図の変動表示ゲームを実行可能となっている。
また、例えば、表示装置本体４ａの上側には、普通変動入賞装置９（始動入賞口９１）に遊技球１１が入賞して特図変動表示ゲームが未処理となっている未処理回数を点灯表示する特図始動記憶表示部３が設けられている。なお、特図始動記憶表示部３には、例えばＬＥＤなどからなる特図始動記憶表示器３ａ，…が設けられている。
また、例えば、普通図柄表示装置の近傍には、普図始動ゲート６，６を遊技球１１が通過（普図の始動入賞）して普図変動表示ゲームが未処理となっている未処理回数を表示する普図始動記憶表示部（図示略）が配設されている。
【００２５】
普通変動入賞装置９は左右一対の開閉部材９ａ，９ａを具備し、これらの開閉部材９ａ，９ａは、常時は遊技球１１が１個流入可能な程度の間隔で閉じた状態を保持しているが、普図変動表示装置における変動表示ゲームの結果が特別の結果態様となった場合には、逆「ハ」の字状に開いて普通変動入賞装置９に遊技球１１が流入し易い状態に変化されるようになっている。この普通変動入賞装置９は、遊技球１１の入賞に基づき変動表示ゲームの始動条件を付与可能な始動入賞口９１を有し、変動表示装置４の下方の遊技領域１ａに配設されている。従って、変動表示装置４の転動部２２から流下した遊技球１１は、始動入賞口９１を有する普通変動入賞装置９の上に流下可能となる。
【００２６】
特別変動入賞装置５は、アタッカー形式の開閉扉５ａによって開閉される大入賞口５ｂを備えている。
開閉扉５ａはその上端側が手前側に倒れる方向に回動して開放可能になっていて、特図の変動表示ゲームの結果が特別表示態様（例えば、「７、７、７」等、ゾロ目数字の何れか）となって大当たり等が発生した場合に、大入賞口５ｂが開放されるようになっている。
【００２７】
以上のような概略構成を有するパチンコ遊技機１００は、遊技領域１ａを形成する遊技盤１に設けられ複数の図柄による変動表示ゲームを表示可能な表示部４ｂを有する変動表示装置４と、該変動表示装置４の下方の遊技領域１ａに配設され遊技球１１の入賞に基づき前記変動表示ゲームの始動条件を付与可能な始動入賞口９１（普通変動入賞装置９）と、を備え、前記変動表示装置４に、前記表示部４ｂの前面側において遊技球１１が転動可能であるとともに、該転動した遊技球１１が前記始動入賞口９１の上に流下可能な転動部２２を形成するようにした遊技機となる。
【００２８】
ここで、遊技を開始することにより遊技領域１ａ内に打ち込まれた遊技球１１が、一般入賞口８、普通変動入賞装置９、大入賞口５ｂの何れかに入賞すると、それぞれ所定数の賞球が排出される（払い出される）ようになっている。
また、遊技領域１ａ内に打ち込まれた遊技球１１が、普図始動ゲート６，６内を通過すると、普図変動表示装置において普図の変動表示ゲームが行われる。
この普図の変動表示ゲームは、普図変動表示装置の表示状態（点灯状態）を所定時間変動表示させた後、停止表示させることにより行うようになっている。
この普図の変動表示ゲームの結果、普図変動表示装置における停止表示が特別の表示態様となれば、普図の変動表示ゲームが当たりとなって、普通変動入賞装置９が所定時間（例えば、０.５秒間）開放される。それにより、普通変動入賞装置９に遊技球１１が入賞しやすくなり、特図の変動表示ゲームの始動が容易となる。
【００２９】
また、遊技領域１ａ内に打ち込まれた遊技球１１が、普通変動入賞装置９に入賞すると、特図の変動表示装置４の表示部４ｂ（表示画面）において、複数種類の識別情報が変動表示される特図の変動表示ゲームが開始される。
この特図の変動表示ゲームの結果として、表示部４ｂの表示態様が特別表示態様（例えば、「１，１，１」等、ゾロ目数字の何れか）となった場合には、大当たりとなって特別遊技状態（所謂、大当たり状態）となる。
この大当たり状態中は、特別変動入賞装置５の大入賞口５ｂを閉じた状態から開放状態に変換するサイクル遊技が、所定回数を限度に行われ、これにより遊技者は遊技球１１を大量獲得する機会を得る。すなわち、パチンコ遊技機は、特図変動表示ゲームの結果、予め定められた特別表示態様となることに関連して、遊技者に有利な特別遊技状態が発生するといった所定の遊技価値を付与可能となる。
【００３０】
なお、遊技盤１の裏面側には、図示は省略するが、遊技球１１の排出動作等を制御する排出制御装置と、遊技領域に設けられた変動表示装置４の表示制御、パチンコ遊技機が備えるランプやＬＥＤなどの発光部材の点灯・点滅状態の制御、及び、スピーカ等の出力の制御等を行う演出制御装置と、パチンコ遊技機１００前面の操作ハンドル（図示略）の操作に基づき遊技球１１を遊技領域１ａに発射させる発射装置と、この発射装置の制御を行う発射制御装置と、これら各制御装置等を統括制御する遊技制御装置等とが設けられている。
【００３１】
次に、本実施形態のパチンコ遊技機１００における主要な構成である転動部２２を備える変動表示装置４の詳細について説明する。
変動表示装置４は、表示部４ｂ（表示画面）を有する表示装置本体４ａ（液晶表示装置）と、この表示装置本体４ａの前面側に配設されると共に、表示部４ｂが臨む表示用開口部２１１を有する凹室２１が形成された前面構成部材２０とを備えて構成されている。
【００３２】
図１に示すように、前面構成部材２０は、変動表示装置４の凹室２１内に変動表示装置４の上から遊技球１１が進入するのを防止する鎧部２４と、鎧部２４の下に形成され、表示部４ｂを遊技者側に露出させる表示用開口部２１１から奥に向かって内部空間を形成する前記凹室２１と、凹室２１の周囲に枠状に形成され、前面構成部材２０を遊技盤１に取り付けるための取付基板２５と、前記鎧部２４に流入口２３１を備えた前記ワープ装置２３と、前面構成部材２０の下部に形成された転動部２２とを有する。
【００３３】
鎧部２４は、下辺が前記表示用開口部２１１の上辺となるように水平に形成され、上辺が中央部が最も高くなるようにほぼ円弧状に形成された状態で、遊技盤１の前面から遊技領域１ａの前側を閉塞する図示しないガラス板の近傍まで突出した状態に形成されている。そして、鎧部２４の上面（上辺）側に当った遊技球１１は、撥ねて鎧部２４から離れて下方に流下するか、鎧部２４の円弧状の上面の傾斜に沿って下方に流下する。従って、鎧部２４により、変動表示装置４上に流下した遊技球１１は、変動表示装置４の左右側方を流下して変動表示装置４より下側に至る。
凹室２１は、その前側が前記表示用開口部２１１として開口した状態にほぼ筒状に形成されており、筒状の凹室２１の後部の開口部を閉塞するように表示装置本体４ａの表示部４ｂ（表示画面）が配置されている。
【００３４】
取付基板２５は、その背面が遊技盤１の前面に当接するように形成されており、前記凹室２１は、周囲の取付基板２５に対して後方に凹んだ状態に形成されるようになっている。そして、取付基板２５は、複数のビス孔２５１を備え、遊技盤１にビス止めされ、これにより前面構成部材２０が遊技盤１に固定される。
【００３５】
ワープ装置２３は、鎧部２４の上部の中央部に形成された流入口２３１と、流入口２３１から鎧部２４内部を斜め左（以下、左右は、パチンコ遊技機１００の左右方向）に傾斜して凹室２１の左側の内側面に至り、この内側面に沿ってほぼ垂直に凹室２１内の下部に向かう遊技球流下路２３２と、この遊技球流下路２３２の下端部に形成され、遊技球１１を前面構成部材２０の凹室２１内の左側下部に流出される流出口２３３とを備える。
流入口２３１は、変動表示装置４の周囲を流下する遊技球１１のうちの鎧部２４の上部の中央部に至った遊技球１１の一部をワープ装置２３内に流入させるものである。
遊技球流下路２３２は、遊技球１１をワープ装置２３の流入口２３１から流出口２３３まで流下させる管状の部材であり、鎧部２４内部を左斜めに下り傾斜する部分は、鎧部２４により隠れた状態となっており、鎧部２４の下から凹室２１の左内側面に沿った部分は、凹室２１の表示用開口部２１１から露出した状態となっている。
【００３６】
なお、遊技球流下路２３２の露出した状態の部分は、例えば、透明もしくは半透明の合成樹脂から構成し、遊技球流下路２３２内の遊技球１１を目視可能としても良い。
また、ワープ装置２３の流出口２３３から流出した遊技球１１は転動部２２の左端部上に至るようになっている。なお、後述するように転動部２２に設けられる回転部材３０には、その右端部に球導入口３１が形成されており、ワープ装置２３の流出口２３３は、前記球導入口３１とは反対の回転部材３０の端部側に配設されている。
【００３７】
転動部２２は、前面構成部材２０の下部に形成されるもので、図２〜図５に示すように、転動部２２において、左右方向に回転軸方向が設定され、内部に遊技球１１を流入可能な空間が形成される回転部材３０を有する。また、転動部２２には、回転部材３０を前後に挟む配置で、回転部材３０の後側に後方転動部４０が形成され、回転部材３０の前側に前方転動部５０が形成されており、基本的には、ワープ装置２３の流出口２３３から流出された遊技球１１が後方転動部４０から回転部材３０の内部に導入され、回転部材３０内部の遊技球１１が前方転動部５０に導出されるようになっている。また、転動部２２には、ワープ装置２３の流出口２３３から流出された遊技球１１を受けて後方転動部４０に流下させる連絡流路６０が設けられている。
【００３８】
なお、回転部材３０は、前方転動部５０と後方転動部４０とに挟まれた状態で、前方側（遊技者側）に露出する部分、すなわち、変動表示装置４の側方もしくは下方から遊技球１１が凹室２１内に進入した場合に遊技球１１が当る可能性がある部分が、透明もしくは半透明の合成樹脂からなるカバー部材７０に覆われた状態となっており、障害釘等に当って撥ねて凹室２１内に進入した遊技球１１から保護されている。なお、カバー部材７０は、図２に図示し、その他の図では省略した。
また、前方転動部５０の一部（後述の誘導転動部５２の一部）は、回転部材３０の前方ではなく、回転部材３０と上下に重なる位置に配置されている。
【００３９】
回転部材３０は、筒状に形成されるとともに左右方向の両端部から中央部に向かって径が徐々に大きくなるように、透明もしくは半透明の合成樹脂から構成されている。すなわち、回転部材３０は、図６（Ａ）及び図７（Ｂ）に示すように、その外形が二つの円錐台を同軸上で上下を反対にして底面同士をつなげた形状とされている。そして、筒状の回転部材３０の両端部は、それぞれ閉塞された状態とされるとともに、回転部材３０の回転軸となる軸３４１を有する軸部３４が形成されている。軸部３４は、その基部３４２が回転部材３０の本体の端部に埋め込まれた状態となっており、基部３４２は、軸３４１と同軸上に配置された抜け止め用の円板部３４３と、軸３４１と同軸上に配置された状態で円板部３４３を貫通した状態の接続部３４４とが一体に構成され、接続部３４４から接続部３４４より径の小さい軸３４１が接続部３４４の中心線の延長線に沿うように延出した状態となっている。
【００４０】
なお、接続部３４４の一部も回転部材３０の本体の端部から露出した状態となっており、この接続部３４４の露出した部分にキャップ３４５，３４６が填められている。キャップ３４５、３４６は、概略円板状で、軸３４１を貫通させる貫通孔と、接続部３４４の露出部分に回転不可となるように嵌合する凹部とを有する。また、回転部材３０の左右両端部にそれぞれ取り付けられるキャップ３４５，３４６のうちの右のキャップ３４６は、軸３４１と同軸状に配置される従動ギアとなっており、後述する電動モータ３６（図２等に図示）の回転力を回転部材３０に伝動する伝動部３７（図４等に図示）の一部となっている。
そして、キャップ３４５，３４６よりも露出する軸３４１，３４１は、図４等に示すように前面構成部材２０の下部の左右両端部に形成された軸受部２６，２７に回転自在に軸受されており、これにより回転部材３０は、パチンコ遊技機１００の左右方向に回転軸方向を沿わせて回転可能となっている。
【００４１】
また、左右の軸受部２６，２７のうちの一方の軸受部２７（右の軸受部２７）は、その外側に（右側方）に電動モータ３６（電気的駆動源）を取り付けるためのモータ取付部材３６１が設けられている。そして、モータ取付部材３６１の内部には、電動モータ３６から回転部材３０に回転力を伝動する伝動部３７が設けられている。伝動部３７は、電動モータ３６から回転部材３０に歯車を用いて回転運動を伝動するギア機構となっており、電動モータ３６の回転速度を変速して回転部材３０に伝動するようになっている。なお、この例において回転部材３０の回転速度は、例えば、毎分３０回転となっている。また、回転部材３０の回転方向は、回転部材３０の上側が後から前側に移動する回転方向となっており、回転部材３０を向かって左側から見た場合の回転方向が時計回りとなっている。
【００４２】
また、回転部材３０の本体は、図６（Ａ）に示すＡ−Ａ矢視線の部分で二つの分割部３０１，３０１に分割された構造となっている。
そして、各分割部３０１，３０１の左右両端部には、軸部３４の基部３４２を軸方向に沿った平面で半分に分割した形状を有する嵌合凹部３０２が形成されている。すなわち、嵌合凹部３０２は、基部３４２の円板部３４３に対応する円板を半分にした半円板状の凹部と、その中央を通るように形成された接続部３４４に対応する溝とからなる。
また、各分割部３０１，３０１の嵌合凹部３０２の中央側に隣接した部分には、分割部３０１，３０１同士を接合するための嵌合部３０３，３０４が形成されており、図７（Ｂ）に示すように、一方の分割部３０１の嵌合部３０３には、ビスの頭部を収容する凹部３０５とビスのネジ軸を挿通する挿通孔３０６が形成され、他方の分割部３０１の嵌合部３０４には、嵌合部３０３の挿通孔を挿通したネジ軸に螺号するネジ孔を有するボス３０７が形成されている。これら嵌合部３０３，３０４が互いに嵌合するとともにビス止めされることで、分割部３０１，３０１同士が接合されるようになっている。
【００４３】
また、回転部材３０は、転動部２２（後方転動部４０）を転動する遊技球１１を内部に導入する球導入口３１と、回転部材３０の内部に導入された遊技球１１を導出可能であるとともに、導出された遊技球１１が始動入賞口９１へ入賞する始動入賞率（入賞率）を相互に異ならせるように形成された複数の球導出口（第１の球導出口３２及び第２の球導出口３３）とを備えている。そして、回転部材３０の回転により、当該回転部材３０内部に導入された遊技球１１を複数の球導出口（第１の球導出口３２，３２及び第２の球導出口３３，…）に振り分けて導出させるようになっている。
【００４４】
球導入口３１は、回転部材３０における左右方向（パチンコ遊技機１００の左右方向と同じ）の何れか一方の端部側に形成されている。この例では、球導入口３１は、回転部材３０を左右に半分ずつに分けた際の、一方の半分（ここでは右の半分）の左右方向のほぼ中央部もしくは中央部より僅かに端側（回転部材の左右の半分のうちの端から２／５程度の部分）に形成されている。
また、球導入口３１は、第１の球導出口３２，３２及び第２の球導出口３３，…より径が大きいものとされ、また、球導入口３１は、回転部材３０の軸方向に沿った径より、回転部材３０の回転方向（周方向）に沿った径の方が長くされた略楕円形状に形成されている。なお、第１の球導出口３２，３２及び第２の球導出口３３の径は遊技球１１の径より大きなものとされ、球導入口３１の径は、第１の球導出口３２，３２及び第２の球導出口３３の径より大きくされている。
【００４５】
また、回転部材３０の球導入口３１の周囲のうちの、回転部材３０の回転方向の後側部分に、転動部２２（後方転動部４０）から転動して導入される遊技球１１を受けて、遊技球１１の転動部２２から回転部材３０内部への導入を補助する弧状のリブ３１１が回転部材３０の外側に向けて突出するように形成されている。これにより、後方転動部４０から回転部材３０の球導入口３１を介して回転部材３０内部に、より確実に遊技球１１を導入することができる。
また、回転部材３０の内部において、球導入口３１より端部側（右端部側）には、筒状の回転部材３０の内部で回転部材３０の端部を閉塞する閉塞壁３０９が設けられており、遊技球１１が球導入口３１より右側に移動できないようになっている。また、回転部材３０の内面には、球導入口３１の周囲に、閉塞壁３０９と合わせて球導入口３１の周囲を囲むように、囲みリブ３１２が形成されている。
囲みリブ３１２は、回転部材３０の内側に向かって突出するとともに、両端部が閉塞壁３０９に接続された状態に配置され、閉塞壁３０９と囲みリブ３１２との間に球導入口３１が配置されるとともに、囲みリブ３１２の大部分が回転部材３０内面の球導入口３１の周縁に沿って配置されている。なお、この囲みリブ３１２は、球導入口３１から回転部材３０内に導入された遊技球１１が球導入口３１を通って回転部材３０の外部に出るのを抑止するためのものである。
【００４６】
前記球導出口には、後述するように普通変動入賞装置９の始動入賞口９１となる部分のほぼ真上に遊技球１１を流下させることにより、導出された遊技球１１の始動入賞口９１への入賞率が極めて高められる第１の球導出口３２，３２と、始動入賞口９１の真上から左右にずれた位置に遊技球１１を流下させることにより、第１の球導出口３２，３２より始動入賞口９１への入賞率が低くされた第２の球導出口３３，…とがある。
【００４７】
第１の球導出口３２，３２は、左右方向の両端部から中央部に向かって径が徐々に大きくなるように構成された回転部材３０の前記中央部に形成されている。また、第１の球導出口３２，３２は、互いに回転方向（周方向）に所定間隔を設けて形成されており、ここでは、二つの第１の球導出口３２，３２が互いに回転方向に回転部材３０が１８０度回転する分の間隔をあけて配置されている。すなわち、二つの第１の球導出口３２，３２は、それぞれ回転部材３０の中央部の外周で互いに反対方向となるように形成されている。
また、第１の球導出口３２，３２が下を向いた場合が、回転部材３０の第１の球導出口３２，３２から遊技球１１が導出される導出位置（回転部材３０の回転等により第１の球導出口３２，３２が真下を向いた位置からは少しずれる可能性がある）となるが、この際には、回転部材３０の第１の球導出口３２，３２の部分が、回転部材３０の最も低い位置となる。従って、回転部材３０の第１の球導出口３２，３２が下を向いた際には、遊技球１１が回転部材３０の外形に対応する内面の傾斜により、第１の球導出口３２，３２に向かって流下するように誘導され、第１の球導出口３２、３２から遊技球１１が導出しやすい状態となる。なお、回転部材３０の本体部は、ほぼ同じ厚みの部材からなっており、回転部材３０の内面がなす形状は、回転部材３０の外面がなす形状とほぼ相似している。
【００４８】
第２の球導出口３３，…は、第１の球導出口３２，３２とは回転部材３０の回転方向に所定間隔を設けて形成されており、例えば、ここでは、各第１の球導出口３２，３２から回転方向に回転部材３０が９０度回転する分の間隔をあけて配置されている。なお、後述するように第２の球導出口３３，…は、回転部材３０の同じ回転位置で左右に２カ所配置されており、各第１の球導出口３２，３２から回転方向に９０度間隔を開けて第２の球導出口３３，…を設けることにより、第２の球導出口３３，…は、４つ形成されている。そして、左右二つずつの第２の球導出口３２，…同士は、互いに回転方向に回転部材３０が１８０度回転する分の間隔をあけて配置されている。従って、第１の球導出口３２，３２と第２の球導出口３３，…は、回転部材の回転方向にそれぞれ等間隔（９０度毎）に交互に配置されている。
【００４９】
また、第２の球導出口３３，…は、第１の球導出口３２，３２よりも回転部材３０の端部側に形成されており、回転部材３０の第１の球導出口３２，３２が形成される中央部を挟んで、その左右に各々形成されている。また、左右の第２の球導出口３３，…は、回転部材３０の中央部からそれぞれ等距離の位置に配置されており、第１の球導出口３２，３２より外側で、球導入口３１の位置よりは内側となっている。
また、回転部材３０の左右の第２の球導出口３３，…の間となる部分には、回転部材３０の本体を構成する筒状の部材を内側に湾曲した状態に突出させるように、回転部材３０の外側に窪み部３８（回転部材３０の内側では膨出部３９となる）が形成されている。
【００５０】
窪み部３８は、左右の第２の球導出口３３，３３を結ぶ線分の中央部が最も凹んだ状態となるように湾曲して凹んだ状態となっている。それに対応して回転部材３０の内側の膨出部３９は、左右の第２の球導出口３３，３３を結ぶ線分の中央部が最も内側に出た状態となるように湾曲して膨らんだ状態となっている。なお、この例において、左右の第２の球導出口３３，３３が２対あるので、窪み部３８（膨出部３９）は、回転部材３０の回転方向に、回転部材３０を１８０度回転させた間隔をあけて、二つ形成されている。
第２の球導出口３３，…が下を向いた場合が、回転部材３０の第２の球導出口３３，…から遊技球１１が導出する導出位置（回転部材３０の回転等により第２の球導出口３３，…が真下を向いた位置からは少しずれる可能性が高い）となるが、この際には、前記膨出部３９により回転部材３０の左右の第２の球導出口３３，…同士の間が凹んでいる（内側に膨らんでいる）ので回転部材３０の第２の球導出口３３，…の部分が、回転部材３０の最も低い位置となる。従って、回転部材３０の第２の球導出口３３，…が下を向いた際には、遊技球１１が回転部材３０の外形に対応する内面の傾斜により、第２の球導出口３３，…に向かって流下するように誘導され、第２の球導出口３３、…から遊技球が導出しやすい状態となる。
【００５１】
すなわち、中央部が最も径が大きくなる回転部材３０の外形形状では、中央部の第１の球導出口３２，３２から遊技球１１が導出されやすく、第１の球導出口３２，３２より第２の球導出口３３，３３の方が遊技球１１が導出されにくくなる。そこで、上述の窪み部３８（膨出部３９）を形成することにより、第２の球導出口３３，…からも遊技球１１を導出しやすくすることで、それぞれ上述のように始動入賞口への入賞率が異なる第１の球導出口３２，３２と第２の球導出口３３，…とへの遊技球１１の振り分け率において、第１の球導出口３２，３２への振り分け率が極めて高くなるのを防止している。
【００５２】
また、筒状の回転部材３０の内面には、左側と右側とにそれぞれ、回転部材３０の内周を一周するとともに、第２の球導出口３３，…を左右から挟むように二本ずつの段差３３１、３３２が形成されている。各段差３３１，３３２は、第２の球導出口３３，…が下を向いた状態で第２の球導出口３３，…側が低くなる段差となっている。
第２の球導出口３３，…（例えば、右側の第２の球導出口３３）の回転部材３０の中央部側の側縁を通る段差３３２は、第１の球導出口３２，３２の回転部材３０の端部（右端部）側の側縁を通るように内側に曲がった後に再び、次ぎの第２の球導出口３３の中央部側の側縁を通るように外側に湾曲することにより左右にジグザクに湾曲しながら内周を回るように環状に形成されている。また、第２の球導出口３３，…の回転部材３０の端部側の側縁を通る段差３３１は、上述の段差３３２より端部（右端部）側を通るとともに、中央側の段差３３２に沿って段差３３２とほぼ同様にジグザグに曲がりながら内周を回るように環状に形成されている。また、回転部材３０の右半分に形成された二本の段差と、左半分に形成された二本の段差は、回転部材３０の中央部を挟んで互いに対象となるように形成されている。
【００５３】
そして、これら段差３３１，３３２と、前記二つの膨出部３９，３９により、回転部材３０の回転に対応して回転部材３０内を転動する遊技球１１を第２の球導出口３３，…に誘導している。これにより、上述のように始動入賞口への入賞率が異なる第１の球導出口３２，３２と第２の球導出口３３，…とへの遊技球１１の振り分け率において、第２の球導出口３３，…への振り分け率を高めている。なお、第１の球導出口３２，３２への遊技球１１の振り分け率と第２の球導出口３３，…への遊技球１１の振り分け率とのうちのどちらを高くするものとしても良く、段差３３１，３３２の大きさや、膨出部３９，３９の形状や、回転部材３０の内面の全体の形状等を変更することにより、振り分け率を変更することが可能である。
【００５４】
連絡流路６０は、例えば、回転部材３０の右側に形成された回転部材３０の球導入口３１とは反対の回転部材３０の端部（左端部）側で、かつ、転動部２２の前側（前方転動部５０側）に配置されたワープ装置２３の流出口２３３から流出した遊技球１１を受け、受けた遊技球１１を後方に流下させて、転動部２２の後部の後方転動部４０の左端部に誘導するものである。連絡流路６０は、底壁部６１と左右の側壁部６２，６２と有して略樋状となるものであるが、左右に円弧状に繰り返し湾曲した形状、すなわち、左右に繰り返し曲がるように遊技球１１を誘導する形状となっている。これにより、ワープ装置２３の遊技球流下路２３２を通って流出口２３３から流出した遊技球１１の速度を減速して後方転動部４０に導出するようになっている。また、底壁部６１は、パチンコ遊技機１００の前後方向の前側から後側に向かって下り傾斜している。
【００５５】
また、左右の側壁部６２，６２は、連絡流路６０の前端部と後端部とでそれぞれ接合された状態となっており、遊技球１１が連絡流路６０の前端及び後端から外部に流下するのを防止している。そして、底壁部６１の後端部には、開口部６３が形成されており、この開口部６３が後方転動部４０の一方の端部（左端部）に臨むように形成されている。すなわち、連絡流路６０は、その底壁部６１に形成された開口部６３の部分が後方転動部４０の左端部と前後に重なるように配置されている。これにより、連絡流路６０の底壁部６１の傾斜に沿って連絡流路６０を転動部２２の前部上から後部上に移動した遊技球１１は、底壁部６１の後端部の開口部６３から下方に落下して後方転動部４０の左端部に至るようになっている。
【００５６】
後方転動部４０は、転動部２２の回転部材３０の後方に左右に延在するように配置され、転動部２２の一方の端部（左端部）側にワープ装置２３の流出口２３３から流出した遊技球１１を回転部材３０の他方の端部（右端部）側に形成された球導入口３１に向かって誘導するものである。すなわち、後方転動部４０は、ワープ装置２３から流出した遊技球１１を連絡流路６０を介して受け、受けた遊技球１１を転動部２２の後部で、転動部２２の一方の端部側から他方の端部側に流下させ、回転部材３０の球導入口３１に誘導する。
そして、後方転動部４０は、連絡流路６０の後端部の下から右に向かって回転部材３０の球導入口３１の手前まで延在する後部流路４１と、後部流路４１の球導入口３１側の端部に、球導入口３１に臨むように設けられた導入待機部４２とを備えている。
【００５７】
後方転動部４０の後部流路４１は、一方の端部（左端部）から他方の端部（右端部）に向かって下り傾斜した底壁部４３と、底壁部４３の左右側縁部に立設された側壁部４４とにより樋状に形成されている。導入待機部４２は、後から前に向かって下り傾斜した底部４５、すなわち、回転部材３０側に向かって下り傾斜した底部４５と、後部流路４１の後側の側壁部４４と連続して底部４５の後縁部に形成された後壁部４６と、底部４５の後部流路４１と反対側の側縁部（右側縁部）に形成された右壁部４７とを有し、底部４５の前側、すなわち、回転部材３０側と、左側すなわち後部流路４１側とは開放された状態となっている。なお、底部４５の回転部材３０側は、回転部材３０により底部４５（導入待機部４２）上に滞留する遊技球１１が前側に流下しないようになっている。なお、回転部材３０が回転し、回転部材３０の球導入口３１が導入待機部４２の前側に臨む位置となった場合には、導入待機部４２の上の遊技球１１が底部４５の傾斜により球導入口３１を通って回転部材３０内に流下するようになっている。また、導入待機部４２の左側は、後部流路４１に連結され、後部流路４１上を流下した遊技球１１が導入待機部４２に至るようになっている。なお、後部流路４１の底壁部４３と導入待機部４２の底部４５とが接合される部分には、底壁部４３が底部４５より高くなる段差が形成され、導入待機部４２に滞留する遊技球１１が後部流路４１側に戻るのを防止している。
【００５８】
また、導入待機部４２は、複数の遊技球１１が待機可能な面積を有し、複数の遊技球１１が導入待機部４２に待機した状態で、回転部材３０の球導入口３１が導入待機部４２と対向する配置となった場合に、一度に導入待機部４２に待機する複数の遊技球１１を回転部材３０内に導入可能となっている。従って、回転部材３０には、球導入口３１が１つだけ形成されているが、回転部材３０が一回転した際に、回転部材３０内に導入可能な遊技球１１の数は、必ずしも１つではなく、複数の遊技球１１が導入される場合もある。
【００５９】
前方転動部５０は、上下段に区画されて形成され、前方転動部５０の上段は、左右方向中央に向かって下り傾斜するとともに前方側に向かって下り傾斜し、回転部材３０の前方側において遊技球を転動可能とする傾斜転動部５１とされている。
また、前方転動部５０の下段は、前記第１の球導出口３２，３２から導出する遊技球１１を流下誘導する第１の誘導溝５２１と、前記第２の球導出口３３，…から導出する遊技球１１を流下誘導する第２の誘導溝５２２とを有する誘導転動部５２となっている。
【００６０】
傾斜転動部５１は、転動部２２の回転部材３０より前側に形成され、左右方向の中央部に形成された中央傾斜部５１１と、中央傾斜部５１１の左右側方に隣接してそれぞれ形成された左右の側方傾斜部５１２，５１２とを有する。左の側方傾斜部５１２は、その上面が右に向かって下り傾斜し、左の側方傾斜部５１２上の遊技球１１を中央傾斜部５１１に向けて誘導する。右の側方傾斜部５１２は、その上面が左に向かって下り傾斜し、右の側方傾斜部５１２上の遊技球１１を中央傾斜部５１１に向けて誘導する。また、中央傾斜部５１１は、その中央が最も低くなるように、上に凹となる略円弧板状に形成され、左右端部から中央に向かって下り傾斜するとともに、僅かに後から前に向かって下り傾斜し、遊技球１１を最も低い中央部に誘導するとともに、傾斜転動部５１の前側に誘導して、遊技球１１を傾斜転動部５１から変動表示装置４の下側の遊技領域１ａに落下させるようになっている。
【００６１】
また、傾斜転動部５１の左右方向の中央、すなわち、中央傾斜部５１１の左右方向の中央の真下には、普通変動入賞装置９の始動入賞口９１が配置されており、傾斜転動部５１の中央部からほぼ真っ直ぐ前に向かって流下した場合に、始動入賞口９１への入賞率が極めて高くなるが、通常は、傾斜転動部５１の左右方向の傾斜に沿って斜め前方に遊技球１１が流下し、始動入賞口９１への入賞率が極めて高くなることはなく、転動部２２を転動せずに流下した遊技球１１よりも僅かに入賞率が高くなるようになっている。
なお、傾斜転動部５１には、ワープ装置２３を経由した遊技球１１ではなく、変動表示装置４の左右もしくは下から障害釘等にぶつかって撥ねた遊技球１１が進入するようになっている。また、傾斜転動部５１の後には、回転部材３０を覆うカバー部材７０が、傾斜転動部５１より高い位置に配置されており、上述のように撥ねた遊技球１１が回転部材３０より後方の後方転動部４０に進入するのを抑制している。
【００６２】
誘導転動部５２の中央部には、パチンコ遊技機１００の前後方向に沿って第１の誘導溝５２１が形成されている。第１の誘導溝５２１の後方部分は、回転部材３０の左右方向の中央部と上下に重なる位置に配置されるとともに、後から前に向かって下り傾斜するように形成され、回転部材３０の中央部の第１の球導出口３２，３２から導出した遊技球１１をパチンコ遊技機１００の前後方向に沿って真っ直ぐ前に誘導するようになっている。
また、誘導転動部５２の第１の誘導溝５２１の左右には、それぞれ、第１の誘導溝５２１から同じ間隔をあけるとともに、パチンコ遊技機１００の前後方向にほぼ沿って第２の誘導溝５２２が形成されている。左の第２の誘導溝５２２の後方部分は、回転部材３０の左右方向の左側の第２の球導出口３３，３３が設けられた位置と上下に重なる位置に配置されるとともに後から前に向かって下り傾斜するように形成され、回転部材３０の左の第２の球導出口３３，３３から導出した遊技球１１をパチンコ遊技機１００の前後方向に沿って前に誘導するようになっている。
右の第２の誘導溝５２２の後方部分は、回転部材３０の左右方向の右側の第２の球導出口３３，３３が設けられた位置と上下に重なる位置に配置されるとともに後から前に向かって下り傾斜するように形成され、回転部材３０の右の第２の球導出口３３，３３から導出した遊技球１１をパチンコ遊技機１００の前後方向に沿って前に誘導するようになっている。
【００６３】
また、誘導転動部５２の前部には、第１の誘導溝５２１及び左右の第２の誘導溝５２２を通過した遊技球１１を更に前に流下させて、変動表示装置４の下の遊技領域１ａに流下させる前部誘導部５２４が形成されている。前部誘導部５２４は、その中央が最も低くなるように上に凹となる円弧板状に形成されており、左右端部から中央に向かって下り傾斜する形状となっている。なお、前部誘導部５２４の左右の中央と、第１の誘導溝５２１の左右の中央とは一致しており、第１の誘導溝５２１を真っ直ぐ前に向かって流下した遊技球１１は、前部誘導部５２４においても、真っ直ぐ前に向かって流下し、変動表示装置４の下方に設けられた普通変動入賞装置９の始動入賞口９１の真上に遊技球１１を流下させるようになっている。すなわち、第１の誘導溝５２１の直下方に位置する部位に前記始動入賞口９１が配設されている。また、誘導転動部５２の方が傾斜転動部５１より下にあり、下方の始動入賞口９１により近い位置に配置されている。従って、回転部材３０の第１の球導出口３２，３２から導出された遊技球１１は、第１の誘導溝５２１を通って極めて高い確率で、始動入賞口９１に入賞するようになっている。
【００６４】
また、第２の誘導溝５２２を流下した遊技球１１は、前部誘導部５２４の中央より左側もしくは右側を流下することにより、前部誘導部５２４上で右から中央もしくは左から中央に向かって僅かに斜めに前部誘導部５２４から変動表示装置４の下の遊技領域１ａに流下する。従って、第２の誘導溝５２２を流下した遊技球１１は、普通変動入賞装置９の中央部の始動入賞口９１となる部分の真上よりは、左右にずれた位置を流下するので、僅かに始動入賞口９１への入賞率は高められるが、第１の誘導溝５２１を流下した遊技球１１よりは、明らかに低い入賞率となっている。すなわち、第１の球導出口３２，３２から導出された遊技球１１と、第２の球導出口３３，…から導出された遊技球１１とでは、始動入賞口への入賞する入賞率が相互に異なるものとされている。
【００６５】
なお、前方転動部５０の上段の傾斜転動部５１と、下段の誘導転動部５２との前には、前面構成部材２０の取付基板２５の一部がこれらの前部を覆うように配置されているが、下段の誘導転動部５２の前部誘導部５２４から流下される遊技球１１の通路となる部分には、遊技球用開口部２８が形成されている。
【００６６】
以上のようなパチンコ遊技機１００において、遊技領域１ａ内に遊技球１１を射出した場合には、射出された遊技球１１のうちの変動表示装置４の鎧部２４の上部の中央部に達したものの一部がワープ装置２３の流入口２３１に流入する。
そして、ワープ装置２３に流入した遊技球１１は、遊技球流下路２３２を通って流出口２３３から転動部２２の左端部に配置された連絡流路６０の前端部に流出する。
連絡流路６０の前端部に流出した遊技球１１は、連絡流路６０に沿って左右に繰り返し曲がりながら、転動部２２の左端部を前部から後部に移動する。この際には、左右に繰り返し曲がりながら遊技球１１が流下することにより、興趣の高い流下態様となる。左右に繰り返し曲がることにより、遊技球１１の流下速度が低下し、遊技球１１の流下勢が減少するとともに、左右に繰り返し曲がる遊技球１１に遊技者の視線を引き付け、遊技者にワープ装置２３により転動部２２に遊技球１１が流下したことを認識させ易い状態にできる。
そして、連絡流路６０の後端部に至った遊技球１１は、回転部材３０の右側に形成された球導入口３１とは反対側の後方転動部４０の左端部に落下し、後方転動部４０の後部流路４１を左から右に長い距離に渡って流下することになる。すなわち、ワープ装置２３の流出口２３３から回転部材３０の球導入口３１までの遊技球１１の流下経路を転動部２２の面積を有効に使って長くすることができる。従って、長い期間遊技球１１の流下を遊技者に見せることができ、遊技者の興趣および始動入賞への期待感を向上させられる。
【００６７】
そして、後部流路４１を流下した遊技球１１は、回転部材３０の球導入口３１が配置された左右位置に前後に隣接する導入待機部４２に滞留する。この際に、回転部材３０の回転により球導入口３１が導入待機部４２に臨む位置（前）に達すると、導入待機部４２に滞留した遊技球１１が導入待機部４２から球導入口３１を通って、回転部材３０内に導入される。
この際には、回転部材３０の基本形状が端部側の径が短く中央部の径が長くなっているので、回転部材３０の端部側に形成された球導入口３１から流入した遊技球１１は、回転部材３０内で回転部材３０内面の傾斜に沿って左右方向の中央部に向かって転動し、更に流下勢が衰えるまで、回転部材３０の中央部から導入された端部側とは逆側の端部側に向かって転動する。遊技球１１は、その後、逆方向に、回転部材３０の内面に沿って回転部材３０の中央部に向かって転動する。すなわち、回転部材３０内で遊技球１１は、基本的に振り子のように左右への移動を繰り返すとともに、回転部材３０の回転に対して回転部材３０の下側に留まろうとして回転することになる。
【００６８】
しかし、回転部材３０内面には、上述の膨出部３９，３９や段差３３１，３３２や第１の球導出口３２、２や第２の球導出口３３，…が形成されているので、これにより上述の遊技球１１の左右への往復移動が乱されて、遊技球１１の転動態様が複雑な転動態様となる。このような回転部材３０内における遊技球１１の転動態様は、透明もしくは半透明のカバー部材７０と、透明もしくは半透明の回転部材３０とを通して遊技者が視認可能となっている。
従って、回転部材３０内での遊技球１１の転動態様が遊技者の興趣を高めるとともに、第１の球導出口３２，３２から遊技球１１が導出されるという期待感を高めることができる。
また、導入待機部４２は、複数の遊技球１１が待機可能となっており、更に、導入待機部４２に複数の遊技球１１が待機した場合には、導入待機部４２に球導入口３１が臨んだ場合に、一度に複数の遊技球１１が回転部材３０内に導入可能となっている。
そして、複数の遊技球１１が回転部材３０内に導入された場合には、上述ような遊技球１１の転動態様に、遊技球１１同士の干渉による転動態様が加わって更に複雑な転動態様となり、更に遊技者の興趣と期待感を高めることができる。
【００６９】
そして、回転部材３０の回転により第１の球導出口３２，３２が下を向いた場合には、回転部材３０の内面の傾斜により遊技球１１が第１の球導出口３２，３２に誘導され、第１の球導出口３２，３２から遊技球１１が導出される確率が高くなる。
また、回転部材３０の回転により第２の球導出口３３，…が下を向いた場合には、上述のような膨出部３９及び段差３３１，３３２を有する回転部材３０の内面の傾斜等により遊技球１１が第２の球導出口３３，…に誘導され、第２の球導出口３３，３３から遊技球１１が導出される確率が高くなる。
そして、この例では、回転部材３０の回転方向に９０度ずつ、ずれて第１の球導出口３２，３２と第２の球導出口３３，…とが配置されているので、回転部材３０が９０度回転する度に、第１の球導出口３２から遊技球１１が導出されて始動入賞率が高められるという遊技者の期待感が増減することになり、興趣を高めることができる。
【００７０】
そして、遊技球１１が回転部材３０の第１の球導出口３２，３２から導出された場合には、回転部材３０の前方の前方転動部５０の下段の誘導転動部５２の第１の誘導溝５２１に遊技球１１が流下し、第１の誘導溝５２１に誘導されて、遊技球１１は、左右にほとんど振れることなく、ほぼ真っ直ぐ変動表示装置４の下方の遊技領域１ａの普通変動入賞装置９の始動入賞口９１に向かって流下し、高い確率で始動入賞口９１に入賞する。
一方、遊技球１１が回転部材３０の第２の球導出口３３，…から導出された場合には、回転部材３０の前方の前方転動部５０の下段の誘導転動部５２の第２の誘導溝５２２に遊技球１１が流下し、第２の誘導溝５２２に誘導された、遊技球１１は、変動表示装置４の下方の遊技領域１ａの普通変動入賞装置９の始動入賞口９１から左右にずれた位置に流下し、第１の球導出口３２，３２から導出された場合に比較して始動入賞口９１への入賞率が低いものとなる。
【００７１】
すなわち、始動入賞率は、遊技球１１が回転部材３０から導出された際に決定されることになり、遊技者の興趣を、ワープ装置２３から転動部２２への遊技球１１の流出から回転部材３０への遊技球１１の導入を経て回転部材３０からの遊技球１１の導出まで維持することができる。また、回転部材３０内での遊技球１１の転動態様により、遊技者の興趣や期待感を高めることができる。
なお、回転部材３０は、基本的に常時等速度で回転するように構成されているが、例えば、機械的もしくは電気的制御により、第１の球導出口３２、第２の球導出口３３の少なくとも一方から遊技球１１が導出されるタイミングとなる導出箇所となった場合、例えば、第１の球導出口３２や第２の球導出口３３が下方を向いた場合に、回転部材３０の回転を一旦停止（例えば、０．５秒停止）するようにしても良い。このようにすれば、回転部材３０内部に導入された遊技球１１を比較的短時間で確実に導出することができる。
また、回転部材３０の球導入口３１が後方転動部４０の導入待機部４２の臨む回転位置となり、回転部材３０内に遊技球１１を導入可能となった場合に、回転部材３０の回転を一旦停止（例えば、０．５秒停止）するようにしても良い。このようにすれば、回転部材３０の球導入口３１が導入待機部４２を通過しても導入待機部４２に待機する遊技球１１が回転部材３０内に導入されずに、また、回転部材３０が一回転する間待機するような事を防止することができる。
【００７２】
以上のようなパチンコ遊技機１００は、前記転動部２２に、左右方向に回転軸が設定され、内部に遊技球１１を流入可能な空間が形成される回転部材３０を設け、回転部材３０は、転動部２２を転動する遊技球１１を内部に導入する球導入口３１と、内部の遊技球を導出可能であるとともに、導出された遊技球が前記始動入賞口（普通変動入賞装置９）へ入賞する入賞率を相互に異ならせるように形成された複数の球導出口（第１の球導出口３２、第２の球導出口３３）とを備え、回転部材３０の回転により、当該回転部材３０内部に導入された遊技球１１を前記複数の球導出口のうちの何れかの球導出口に振り分けて導出させるようにしている。
【００７３】
従って、回転部材３０の内部に遊技球１１を導入する構成であり、従来にない斬新な遊技球１１の流下態様（転動態様）を形成でき、興趣を向上させることができる。すなわち、回転部材３０内において、遊技球１１は、回転部材３０内へ流入した際の流下勢と、回転部材３０の回転とに基づいて、回転部材３０内を転動してから回転部材３０外に導出されることになり、回転部材３０内に流入する遊技球１１毎に多彩な転動態様を取ることになり、見ている遊技者の興趣を向上することができる。
また、回転部材３０内部に遊技球１１が導入された場合でも、遊技球１１が導出する球導出口（第１の球導出口３２、第２の球導出口３３）に応じて始動入賞率が変化するので、遊技者の興味が回転部材３０に遊技球１１が導入するか否かだけに集中せず、回転部材３０への遊技球１１の導入態様の他、導出態様にも遊技者の興味を引き付けることができ、興趣を向上させることができる。
【００７４】
また、前記転動部２２は、回転部材３０を挟んで、後方側に後方転動部４０と、前方側に前方転動部５０とを含み、後方転動部４０を転動する遊技球１１を前記球導入口３１から当該回転部材３０内部に導入して、該導入された遊技球１１を前記球導出口（第１の球導出口３２、第２の球導出口３３）から前方転動部５０に導出するように構成されている。従って、後方転動部４０と前方転動部５０との間に回転部材３０が配置され、後方転動部４０から回転部材３０に流入した遊技球１１が、回転部材３０から前方転動部５０に流出し、前方転動部５０に流入した遊技球１１が、変動表示装置４からそれより下方の遊技領域１ａに流下することになる。
従って、回転部材３０を転動部２２に効率よく配設することが可能となるとともに、回転部材３０への遊技球１１の導入及び導出を後から前に向かって確実に行うことができる。
【００７５】
また、回転部材３０は、筒状に構成されるとともに左右方向の両端部から中央部に向かって径が徐々に大きくなるように構成され、球導入口３１を当該回転部材３０における左右方向の何れか一方の端部側に形成し、球導出口として、前記中央部に形成される第１の球導出口３２と、該第１の球導出口３２とは回転方向に所定間隔を設けて形成されるとともに該第１の球導出口３２よりも端部側に形成された第２の球導出口３３とを備えている。従って、筒状に構成されるとともに左右方向の両端部から中央部に向かって径が徐々に大きくなっている回転部材３０の端部側の球導入口３１から流入した遊技球１１は、回転部材３０の回転に伴って回転部材３０の回転方向（周方向）に沿って転動するとともに、回転部材３０の径の変化に基づく内面の傾斜により左右に転動することになる。そして、左右に転動する遊技球１１は、回転部材３０中央部の第１の球導出口３２，３２が下方を向いた際に、回転部材３０の中央部の第１の球導出口３２，３２上に至ると、第１の球導出口３２，３２から導出される。一方、第１の球導出口３２，３２より回転部材３０の端部側に形成された第２の球導出口３３，…が下方を向いた際に、遊技球１１が回転部材３０の第１の球導出口３２，３２より端部側の第２の球導出口３３，…上に至ると、第２の球導出口３３，…から導出される。従って、遊技球１１を第１の球導出口３２，３２から導出される場合と、第２の球導出口３３，…から導出される場合とに確実に振り分けることができる。
また、球導入口３１及び球導出口により回転部材３０への遊技球１１の導入及び導出を確実に行うことが可能となる。また、第１の球導出口３２，３２が回転部材３０の中央部にあり、第２の球導出口３３，…が第１の球導出口３２，３２より端部側にあるので、それぞれ左右位置が異なる第１の球導出口３２，３２及び第２の球導出口３３，…の各々から導出された遊技球１１の始動入賞率を確実かつ効率よく異ならせることができる。
【００７６】
前方転動部５０は、第１の球導出口３２，３２から導出する遊技球１１を流下誘導する第１の誘導溝５２１と、第２の球導出口３３，…から導出する遊技球１１を流下誘導する第２の誘導溝５２２と、を有する誘導転動部５２を備え、第１の誘導溝５２１の直下方に位置する部位に前記始動入賞口９１（普通変動入賞装置９）が配設されている。
【００７７】
従って、第１の球導出口３２，３２から導出する遊技球１１を流下誘導する第１の誘導溝５２１と、第２の球導出口３３，…から導出する遊技球１１を流下誘導する第２の誘導溝５２２とにより、第１の球導出口３２，３２および第２の球導出口３３，…の各々から導出された遊技球１１の始動入賞率を確実かつ効率よく異ならせることができるとともに、第１の誘導溝５２１の直下方に位置する部位に前記始動入賞口９１が配設されているので、第１の球導出口３２，３２から導出された遊技球１１の始動入賞率を確実に高めることができる。
【００７８】
第２の球導出口３３，…は、前記回転部材３０の中央部を挟んで、その左右に各々形成されているので、左右の第２の球導出口３３，…の何れでも遊技球１１が導出可能なことにより、遊技球１１の導出態様が多彩化して興趣が向上する。
また、回転部材３０の左右にそれぞれ第２の球導出口３３，…を形成することにより、遊技球１１の導出効率を高めることができる。これにより、長い間、回転部材３０の内部に遊技球１１が停留することを防止することができる。
また、第１の球導出口３２，３２から導出される遊技球の始動入賞率が、第２の球導出口３３，…から導出される遊技球１１の始動入賞率より高くなるような構成の場合に、中央部に配置される第１の球導出口３２，３２に対して、左右にそれぞれ第２の球導出口３３，…を形成することで、例えば、第１の球導出口３２，３２の２倍となる数の第２の球導出口３３，…を形成することにより、第１の球導出口３２，３２からの遊技球１１の導出率を抑えることができる。これにより始動入賞率が余りにも高くなることで遊技者と遊技店との間の利益バランスが崩れることを防止できる。
【００７９】
また、前方転動部５０は、上下段に区画されて形成され、前方転動部５０の上段は、左右方向中央に向かって傾斜するとともに前方側に傾斜して、回転部材３０の前方側において遊技球１１が転動可能な傾斜転動部５１を構成する一方、前方転動部５０の下段は、前記誘導転動部５２を構成する。
従って、前方転動部５０に上段の傾斜転動部５１と、下段の誘導転動部５２を設けることで、転動部２２での遊技球１１の転動態様をより多彩化でき興趣を向上させることができる。前方転動部５０の下段に誘導転動部５２を備えたので、より始動入賞口９１の近い位置で遊技球１１を誘導することが可能となる。これにより、誘導転動部５２の第１の誘導溝５２１により遊技球１１をより高い確率で始動入賞口に入賞させることが可能となり、第１の球導出口３２，３２から導出されるか、第２の球導出口３３，…から導出されるかにより、始動入賞率をより明確に異ならせることができる。
また、傾斜転動部５１と誘導転動部５２とが上下に別れているので、誘導転動部５２での遊技球１１の誘導を邪魔することなく、傾斜転動部５１で多彩に遊技球１１が転動可能である。
【００８０】
また、変動表示装置４は、当該変動表示装置４の周囲の遊技領域１ａを流下する遊技球１１が流入する流入口２３１と、該流入口２３１から流入した遊技球１１を、遊技球流下路２３２を介して前記転動部２２（後方転動部４０）に流出させる流出口２３３と、を備えたワープ装置２３を備え、該流出口２３３を前記球導入口３１とは反対の回転部材３０の端部側に配設するように構成し、後方転動部４０は、流出口２３３から流出した遊技球１１を球導入口３１まで誘導するように該球導入口３１側に傾斜している。
【００８１】
従って、ワープ装置２３により多数の遊技球１１を転動部２２に集めることができるとともに、転動部２２に流入した遊技球１１を球導入口３１まで確実かく効率よく誘導することができる。また、該流出口２３３を球導入口３１とは反対の回転部材３０の端部側に配設するように構成したので、流出口２３３から出た遊技球１１が球導入口３１まで移動する経路を長くすることができ、その間の遊技球１１の動きを遊技者に見せることができ、期待感を高めることができるとともに興趣が向上する。
【００８２】
本発明の遊技機は、前記例のパチンコ遊技機１００に限られるものではなく、様々に応用可能であるが、例えば、前記例では、回転部材３０の上部をカバー部材７０で覆うことにより、前方転動部５０の上段の傾斜転動部５１上を転動する遊技球１１は、回転部材３０に接触することがなかったが、以下に示す第２実施形態のパチンコ遊技機１００のようにカバー部材７０を設けないことにより、傾斜転動部５１上を転動する遊技球１１が回転部材３０の外周に接触するようにしても良い。すなわち、傾斜転動部５１は、当該傾斜転動部５１の後端部側に、遊技球１１が回転部材３０の外周部に接触可能に該回転部材３０に向かって傾斜する後方傾斜部５１４を形成し、後方傾斜部５１４において、遊技球１１が回転部材３０の外周部へ接触することで、遊技球１１の流下態様が変化するように構成しても良い。
【００８３】
例えば、図８（Ａ）、（Ｂ）、（Ｃ）に示す転動部２２は、第２実施形態のパチンコ遊技機１００を示すもので、第２実施形態のパチンコ遊技機１００は、第１実施形態とほぼ同様のパチンコ遊技機１００において、カバー部材７０を取り除くとともに、前方転動部５０の上段の傾斜転動部５１の一部の形状を変更するとともに、回転部材３０の一部の形状を変更したものである。以下に、第２実施形態のパチンコ遊技機１００の第１実施形態と異なる部分を説明する。なお、第１実施形態と同様の構成については説明を省略する。
【００８４】
図８に示すように、第２実施形態においては、転動部２２に回転部材３０を覆うカバー部材７０が設けられておらず、前方転動部５０の上段の傾斜転動部５１上を転動する遊技球１１が回転部材３０の外周部に接触可能となっている。
なお、回転部材３０は、第１実施形態と同様に、球導入口３１及び第１の球導出口３２，３２と第２の球導出口３３，…とを備えるととともに、外周形状が左右方向の両端部から中央部に向かって径が徐々に大きくなるように構成され、回転部材３０の外側の左右の第２の球導出口３３，…の間となる部分には、湾曲して凹んだ状態の窪み部３８（回転部材３０の内側では膨出部３９となる）が形成されている。なお、この窪み部３８は、その中央部、すなわち、回転部材３０の中央部にあたる部分が最も凹んだ状態となっている。
【００８５】
また、回転部材３０の外周部の窪み部３８には、回転部材３０の回転方向の後部となり、かつ、回転部材３０の中央部となる部分に突起部３８１が形成されており、突起部３８１は、回転部材３０が回転した場合に、転動部２２の他の部材に接触しない範囲で、回転部材３０の外側に向けて突出した状態となっている。
傾斜転動部５１は、第１実施形態と同様に、左右方向の中央部に形成された中央傾斜部５１１と、中央傾斜部５１１の左右側方に隣接してそれぞれ形成された左右の側方傾斜部５１２，５１２とを有する。そして、側方傾斜部５１２，５１２の後側縁には、側方傾斜部５１２，５１２上を転動する遊技球１１が回転部材３０に接触するのを抑止するようにリブ５１３が上に向かって突出するとともに、側方傾斜部５１２，５１２の回転部材３０側の後縁部に沿って形成されている。
【００８６】
また、中央傾斜部５１１は、第１実施形態と同様に、その中央部が最も低くなるように、上に凹となる略円弧板状に形成され、左右端部から中央に向かって下り傾斜するとともに、僅かに後から前に向かって下り傾斜しているが、中央傾斜部５１１の後端部側に、第１実施形態と異なり、上面が僅かに前から後、すなわち、回転部材３０に向かって下り傾斜している後方傾斜部５１４が形成されている。
従って、傾斜転動部５１の中央傾斜部５１１の後端部側に設けられた後方傾斜部５１４上に遊技球１１が載った状態では、遊技球１１は、中央傾斜部５１１の上面の傾斜により中央傾斜部５１１の中央側に転動（誘導される）するとともに、傾斜転動部５１の後の回転部材３０側に向かって転動する状態（誘導される状態）となる。
【００８７】
ここで、回転する回転部材３０の外周部の窪み部３８でない部分、すなわち、回転部材３０の左右端部から徐々に中央部に向かって径が大きくなる形状に基づいて突出した状態の部分が、傾斜転動部５１側（前側）を向いている状態では、図８（Ｂ）に示すように、中央傾斜部５１１の後方傾斜部５１４上に転動した遊技球１１は、突出した状態の回転部材３０の中央部分により前に押し出される状態となり、遊技球１１は、中央傾斜部５１１上面の後端部の後に向かって下り傾斜した部分から、中央傾斜部５１１上面の後方傾斜部５１４より前の前に向かって下り傾斜した部分に押し出されて、中央傾斜部５１１の傾斜に沿って中央傾斜部５１１の前側に転動するとともに、中央側に向かって転動することにより、斜めに転動しながら中央傾斜部５１１の前側に転動する。この場合には、必ずしも、遊技球１１が下方の普通変動入賞装置９の始動入賞口９１の真上に流下する可能性が高くないとともに、斜めに流下する可能性が高いので、始動入賞口９１への入賞率はあまり高くならない。
【００８８】
一方、回転する回転部材３０の外周部の窪み部３８の部分、すなわち、回転部材３０の中央が最も凹んだ状態の部分が、傾斜転動部５１側（前側）を向いている状態では、図８（Ｃ）に示すように、中央傾斜部５１１の後方傾斜部５１４上に転動した遊技球１１は、後方傾斜部５１４の上面の中央が低くなるように傾斜し、かつ、回転部材３０側に下り傾斜した上面と、回転部材３０の中央が最も凹むようになった窪み部３８の外面に案内されて、遊技球１１が中央傾斜部５１１の後方傾斜部５１４上面において、中央傾斜部５１１の左右方向の中央側、すなわち、前方転動部５０及び傾斜転動部５１の中央側に誘導される。すなわち、回転部材３０の外周部における第２の球導出口３３，…の近傍には窪み部３８が形成され、回転部材３０の窪み部３８により後方傾斜部５１４の遊技球１１を該後方傾斜部５１４の左右方向中央部に誘導可能となっている。
【００８９】
そして、回転部材３０が回転すると、回転部材３０の上述の中央部が突出した部分が傾斜転動部５１側（前側）を向いた状態となり、回転部材３０の外周の中央部が突出する部分により遊技球１１が中央傾斜部５１１の前側に押し出され、上述の場合と同様に中央傾斜部５１１の前側から下方の遊技領域１ａに落下する。この際には、前方転動部５０の中央部、ずなわち、傾斜転動部５１及び中央傾斜部５１１の中央部から遊技球が落下することになる。この際に、前方転動部５０の中央部、すなわち、後方傾斜部５１４、傾斜転動部５１及び中央傾斜部５１１の中央部の下方に始動入賞口９１があるので、始動入賞率が高くなるが、回転部材３０の中央が突出した外周面は、必ずしも真っ直ぐ前方を向いた平面ではないので、遊技球１１を斜め前方に押し出す可能性もあり、必ずしも、始動入賞率を極めて高くすることはできない。
【００９０】
そこで、第２実施形態においては、回転部材３０の中央部の窪み部３８の部分で、かく、窪み部３８の回転方向の後部に当る部分に前記突起部３８１が形成されている。突起部３８１の外面、特に、中央傾斜部５１１の後方傾斜部５１４の中央部分で滞留する遊技球１１に接触する部分が、左右方向に沿って真っ直ぐとなっており、遊技球１１を真っ直ぐ前方に押し出すようになっている。なお、突起部３８１の遊技球１１に接触する外面は、左右方向に沿って真っ直ぐとなっていれば、前後方向や上下方向に湾曲していても良いし、平面であっても良い。
【００９１】
この突起部３８１により、上述のように回転部材３０の窪み部３８により、中央傾斜部５１１上面の後端部側に設けられた後方傾斜部５１４の中央部に誘導させられた遊技球１１は、回転部材３０が回転することにより、窪み部３８の回転方向の後部に設けられた突起部３８１により真っ直ぐ前方に押し出され、中央傾斜部５１１（後方傾斜部５１４）の中央部からその真下にある普通変動入賞装置９の始動入賞口９１の真上に流下し、極めて高い入賞率で始動入賞することになる。すなわち、傾斜転動部５１上の遊技球の転動態様と、中央が突出する部分や窪み部３８や突起部３８１を有する回転部材３０の回転位置とにより、傾斜転動部５１上を転動する遊技球１１の始動入賞率が大きく変化することになり、上述の回転部材３０内に導入された遊技球１１の始動入賞率の変化と合わせて、遊技者の興趣と始動入賞への期待感を更に高めることができる。
【００９２】
なお、回転部材３０の窪み部３８、すなわち、窪み部３８の左右側部にそれぞれ形成された第２の球導出口３３，…が前を向いた状態に回転する際に、傾斜転動部５１の中央傾斜部５１１の後端部に設けられた後方傾斜部５１４に遊技球１１があると、遊技球１１が窪み部３８により傾斜転動部５１（後方傾斜部５１４）の中央に誘導され、その後に、回転部材３０の第２の球導出口３３，…が前を向いた状態から下を向いた状態に回転する際に、遊技球１１が突起部３８１（突起部３８１が無いものとすれば、突起部３８１より更に回転方向の後の回転部材３０の中央部が突出した部分）により前方に押し出され、押し出された遊技球１１が始動入賞口９１に入賞する可能性が高くなる。一方、この際、すなわち、回転部材３０の第２の球導出口３３，…が前を向いた状態から下を向く状態に回転する際には、回転部材３０内の遊技球１１が第２の球導出口３３から導出される可能性が高くなり、回転部材３０内の遊技球１１が始動入賞口９１に入賞する可能性が低くなる。
また、逆に、回転部材３０の中央部が突出する部分、すなわち、第１の球導出口３２，３２が前を向いた状態から下を向いた状態に回転する際には、未だ窪み部３８が前を向いた状態となる直前なので、傾斜転動部５１の中央傾斜部５１１上の遊技球１１は、回転部材３０の中央部が突出する部分に押し出され、傾斜転動部５１上の遊技球１１が始動入賞口９１に入賞する確率は低くなる。しかし、回転部材３０内の遊技球１１は、第１の球導出口３２，３２が前を向いた状態から下を向いた状態となる際に、第１の球導出口３２，３２から導出される可能性が高くなり、回転部材３０内の遊技球１１が始動入賞口９１に入賞する可能性が高まることになる。
【００９３】
以上のような第２実施形態のパチンコ遊技機１００において、前記傾斜転動部５１の後端部側に、遊技球１１が回転部材３０の外周部に接触可能に該回転部材３０に向かって傾斜する後方傾斜部５１４を形成し、後方傾斜部５１４において、遊技球１１が前記回転部材３０の外周部へ接触することで、当該遊技球１１の流下態様が変化するように構成したことにより、回転部材３０がその内部における遊技球１１の誘導機能（振り分け機能）以外に、外部の遊技球１１の流下態様を変化させる機能を持つこととなり、複数の機能を効率よく発揮できる。
また、回転部材３０の外周部に遊技球１１が接触することで流下態様（転動態様）が変化するので、より多彩な遊技球１１の流下態様を生じさせることができ興趣がより向上する。
【００９４】
また回転部材３０の外周部における前記第２の球導出口３３，…の近傍には窪み部３８が形成され、回転部材３０の窪み部３８により後方傾斜部５１４の遊技球１１を該後方傾斜部５１４の左右方向中央部に誘導可能としたことにより、傾斜転動部５１の左右方向の中央部の下方に始動入賞口９１があるものとすれば、回転部材３０の外周部でも始動入賞口９１に遊技球１１を流下誘導できるので、遊技者の始動入賞への期待感を向上させることができる。
また、回転部材３０の回転角度が、第２の球導出口３３，…から遊技球１１が導出可能な位置（第１の球導出口３２，３２から遊技球１１の導出が不可能な位置）となった場合に、回転部材３０の内部の遊技球１１の導出に関しては始動入賞口９１への入賞の期待感が低くなるが、この際には、第２の球導出口３３，３３の近傍の外周部の窪み部３８が傾斜転動部５１上の遊技球１１を中央部に誘導した後に、回転部材３０の窪み部３８の回転方向の後側の部分が遊技球１１を傾斜転動部５１の中央部から前方に押し出す位置もしくはその近傍となるので、回転部材３０の外周部においては、遊技球１１を始動入賞口９１へ流下誘導可能となるので、回転部材３０の回転位置がどの位置でも遊技者の始動入賞への期待感を高めることができる。
【００９５】
なお、本発明はこの実施の形態のパチンコ遊技機に限られるものではなく、転動部を有するとともに、識別図柄を変動表示させる変動表示装置を有するものとすれば、その他のパチンコ遊技機、アレンジボール遊技機、雀球遊技機などの弾球遊技機にも適用可能である。
また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００９６】
【図１】本発明の第１実施形態のパチンコ遊技機の遊技盤を示す正面図である。
【図２】前記パチンコ遊技機の変動表示装置の下部の転動部を示す斜視図である。
【図３】前記転動部のカバー部材を取り除いた状態を示す斜視図である。
【図４】前記転動部の傾斜転動部等を取り除いた状態を示す斜視図である。
【図５】前記転動部の傾斜転動部等を取り除いた状態を示す斜視図である。
【図６】前記転動部の回転部材を示す図面である。
【図７】前記回転部材を示す図面である。
【図８】本発明の第２実施形態のパチンコ遊技機の転動部を示す図面である。
【符号の説明】
【００９７】
１          遊技盤
１ａ        遊技領域
１１        遊技球
１００      パチンコ遊技機
２２        転動部
２３        ワープ装置
２３１      流入口
２３２      遊技球流下路
２３３      流出口
３０        回転部材
３１        球導入口
３２        第１の球導出口（球導出口）
３３        第２の球導出口（球導出口）
３８        窪み部
４          変動表示装置
４０        前方転動部
５０        後方転動部
５１        傾斜転動部
５２        誘導転動部
５１４      後方傾斜部
５２１      第１の誘導溝
５２２      第２の誘導溝
９          普通変動入賞装置
９１        始動入賞口
【図１】
2008055242.tif 000003
【図２】
2008055242.tif 000004
【図３】
2008055242.tif 000005
【図４】
2008055242.tif 000006
【図５】
2008055242.tif 000007
【図６】
2008055242.tif 000008
【図７】
2008055242.tif 000009
【図８】
2008055242.tif 000010